(57)【要約】【課題】従来の蓋保持具は鍋の蓋を裏返して保持する器具であるので、鍋の蓋を挟んで一定の高さまで自動的に引き上げて保持できる調理器具の蓋保持具を提供する。【解決手段】十字状の基板２の各端部に、回転させると延長する補助板３，３を備えた基板２を形成し、その基板２に、長さ約４０〜７０センチ程度まで伸縮する留めネジ４付き支柱５を取り付けるとともに、その支柱５の上部に、端部に伸縮棒６を有し、且つ、左右に回動する支持棒７を取り付けた前記伸縮棒６の端部に、一定の長さのコイルバネ８を取り付け、そのコイルバネ８の下部に、図３に示すように半円状に欠いた保持穴９付きクリップ１０を取り付けて成る蓋保持具１とする。【選択図】図１
2009148523.tif 000002
【特許請求の範囲】
【請求項１】
基板に所定の長さの支柱を取り付け、その支柱の上部に、左右に回動する支持棒を水平に取り付けた端部にコイルバネを取り付けるとともに、そのコイルバネにクリップを取り付けて成る構成を特徴とする調理器具の蓋保持具。
【請求項２】
基板に軸部を設け、その軸部に、左右に回動する支持棒を水平に取り付けて成る端部にコイルバネを取り付けるとともに、そのコイルバネ端部にクリップを取り付けた前記基板にネジ穴を設けて成る構成を特徴とする調理器具の蓋保持具。
【請求項３】
前記するクリップが、蓋のつまみが収まる保持穴を設けた請求項１又は請求項２に記載する調理器具の蓋保持具。
【発明の詳細な説明】
【技術分野】
【０００１】  本発明は、日々調理する際に使用する鍋やその他の調理器具の蓋を、調理途中でも機能的にして効果的に保持できる蓋の保持具に関する。
【背景技術】
【０００２】  従来、調理に欠かせない器具の中で蓋を有するものとしては、鍋や土鍋、蒸し器、その他、ガス台に載せて調理する器具があり、これらは調理に欠かせないが、調理途中で蓋を取ってかき混ぜたり、他の調味材や具材を追加するため、一時ガス台の上などに裏返して置いている。【０００３】  また、蓋を一旦保持する器具として、針金などの線材により逆Ｕ字状の底部と蓋の支え部を複数個の支柱で連結して、支え部の上部と下部とを段差を設けて、鍋の蓋を裏返して保持できる鍋蓋置きスタンドの技術がある。（例えば、特許文献１参照）
【特許文献１】特開２００２−３３６１４２公報
【発明が解決しようとする課題】
【０００４】  前記するような方法で鍋類の蓋を保持しており、調理台の上に置く時は、そのままでは蓋に付いた熱い水滴が垂れるので蓋を逆さにした状態に注意しながら置かなければならず、また、再度蓋をする際、裏返している蓋のつまみは掴みにくく、時には周りに水滴をこぼしたりすることがあった。
【０００５】  さらに、特開２００２−３３６１４２公報の鍋置きスタンドによる技術は、針金などの線材により逆Ｕ字状の底部と蓋の支え部とを複数個の支柱で連結して、支え部の上部と下部とを段差を設けたスタンドとすることで鍋の蓋を裏返して保持できるものであるが、スタンドに載せる際は蓋を裏返さなければならないが、ゆっくり行わないと熱い水滴が手に垂れて火傷することもある。
【０００６】  また、スタンドは一定の高さであり、調理している鍋の上に一時置いて蓋置きとすることも可能であるが、その場合、高さをかなり上げないと蓋をスタンドに載せた状態で調味料や具材を入れたり、鍋の中をかき混ぜたりするにはスタンドが邪魔になって効果的に使えないし、もし、スタンドを倒した場合は鍋をひっくり返して大火傷する危険もある、不便や欠点の多い鍋置きスタンドの技術である。
【課題を解決するための手段】
【０００７】  本発明は、前記するような不便や欠点を解消するために、請求項１においては、基板に所定の長さの支柱を取り付け、その支柱の上部に、左右に回動する支持棒を水平に取り付けた端部に一定の長さのコイルバネを取り付けるとともに、そのコイルバネ端部に保持穴付きクリップを取り付けることにより、鍋から一定の高さに蓋を保持し、且つ、左右に移動できる調理器具の蓋保持具とする。
【０００８】  請求項２においては、基板に軸部を設け、その軸部に、左右に回動する支持棒を水平に取り付けた端部にコイルバネを取り付けるとともに、そのコイルバネ端部にクリップを取り付けることで、ガス台の後壁に基板をネジ止めして手軽に使える調理器具の蓋保持具とする。
【０００９】  請求項３においては、前記するクリップに、蓋のつまみが収まる保持穴を設けることにより、ズレたり脱落せず安定して保持できる調理器具の蓋保持具とする。
【発明の効果】
【００１０】  本発明による調理器具の蓋保持具は、第１実施形態においては、安定した基板に取り付けた支柱上部に左右に回動する支持棒を取り付け、その支持棒の端部に、クリップ付きコイルバネを設けているので、途中で蓋を開けて調味料や具材を入れたりかき混ぜたりする時は、支持棒端部のクリップが鍋の真上に位置するように回してから、クリップで蓋のつまみの根元を挟んでから手を離すと、蓋はコイルバネの力により自動的に一定の高さまで持ち上げて保持できる。
【００１１】  保持した蓋はバネ力で下がることないので、その間に調味料や具材を入れたりかき混ぜたりする作業が容易に行えるため、取り外した蓋をどこに置いたらよいか迷ったり、蓋に付いた熱い水滴が手に掛る心配も無く、狭い調理スペースでも便利にして有効に使用できる蓋保持具である。
【００１２】  さらに第２実施形態による蓋保持具は、支持棒にクリップ付きコイルバネを取り付ける点は前記第１実施形態と同じであるが、支持棒を回動自在に取り付けた基板はネジ穴とネジで固定できるタイプであるので、ガス台後部の壁面に取り付けるだけで簡単に使え、クリップを使わない時は支持棒を左右いずれかに軽く回すだけで調理に邪魔にならなし、構成もきわめてシンプルである。
【００１３】  さらに、いずれのタイプもクリップの挟み部には保持穴を設けているため、耐熱ガラス製や土鍋の蓋のように重い蓋でも保持穴で確実に保持するので、ズレたり脱落する心配は無く確実に保持できるうえ、蓋は鍋から垂直状態で持ち上げるので、仮に、熱い水滴が落ちても手に掛る心配も無いなど、高齢者や子供でも安全に使えて効果的な蓋保持具である。
【００１４】  加えて、クリップはコイルバネで伸縮自在に使えるので、調理以外に、例えば第１実施形態では机上や各種作業場に置いて物品保持具として活用できるなど、従来には見られない機能的な蓋保持具を提供できる。
【発明を実施するための最良の形態】
【００１５】  本発明の蓋保持具の第１実施形態を、図１に示す斜視図と図２に示すクリップで蓋を保持した拡大側面図と図３に示すクリップの底面図及び図５の使用状態参考図で説明する。
第１実施形態による蓋保持具１は、十字状の基板２の各端部に、回転させると延長する補助板３，３を備えた基板２を形成し、その基板２に、長さ約４０〜７０センチ程度まで伸縮する留めネジ４付き支柱５を取り付けるとともに、その支柱５の上部に、端部に伸縮棒６を有し、且つ、左右に回動する支持棒７を取り付けた前記伸縮棒６の端部に、一定の長さのコイルバネ８を取り付け、そのコイルバネ８の下端に、図３に示すように、挟み部の左右を半円状に欠いた保持穴９付きクリップ１０を取り付けて成る蓋保持具１を構成する。【００１６】  本実施形態による蓋保持具１は、基板２に一定の長さに伸縮する支柱５を取り付け、その上部には、左右に可動する伸縮棒６付き支持軸棒７を水平に取り付けた端部に、保持穴９付きクリップ１０を設けたコイルバネ８を取り付けているので、使用する方法は、図５に示すようにガス台上に載置した鍋の蓋１１を保持する場合は、クリップ１０を引き下げてから、保持穴９部で蓋１１のつまみ１２を図２のように挟んでから手を離すと、つまみ１２を挟んだまま一定の高さまで引き上げて保持する。【００１７】  また蓋１１の位置を変えたい場合は、支持棒７を左右いずれかに動かすことでズラせる。さらに蓋１１を鍋に戻す場合は、クリップ１０を引き下げてからクリップ１１をつまんで開くと、つまみ１２から簡単にクリップ１０を取り外せる。【００１８】  第２実施形態による蓋保持具を図４に示す斜視図で説明する。
第２実施形態による蓋保持具１は、前記第１実施形態と異なる壁面取り付け型である。本実施形態による蓋保持具１は、複数個のネジ穴１３，１３を有する基板２ａに、中ほど部が空いた軸部１４を取り付け、その軸部１４と軸棒１５によって左右に回動する一定の長さの支持棒７ａを取り付けた端部に、前記第１実施形態と同様に、保持穴９付きクリップ１０を取り付けたコイルバネ８を取り付けて成る前記基板２ａにネジ１６，１６を組み合わせた蓋保持具１を構成する。【００１９】  第２実施形態による蓋保持具１は、基板２はネジ１６止め方式であるためガス台の壁面に取り付けられる。また、その基板２ａの軸部１４に取り付けた支持棒６は左右自在に可動するので、前記第１実施形態と同じ作用を成すとともに、さらに第１実施形態よりコンパクトに形成できる。【００２０】  本発明の蓋保持具１は以上の構成であるが、第１実施形態における基板２は十字状で、且つ、その基板２に回転する補助板３付きであるが、安定する物であるなら補助板３は無くてもよいし、基板２の形状も円形や角型でも差し支えない。また第１実施形態の支柱５や支持棒７は伸縮する方式であるが、伸縮しない一本タイプでもよい。さらに第２実施形態における支持棒７は一本タイプであるが伸縮するタイプでも構わないし、基板２ａはネジ止め方式であるが、絶対に脱落しない手段であるなら他の取り付け手段を採用してもよい。また本発明に採用されるクリップ１０の挟み部の左右に半円状の保持穴９を設けてズレないタイプであるが、ギザギザの挟み部でもよいし、バネが強ければ単に直線状でもよく、いずれも特に限定するものではない。
【図面の簡単な説明】
【００２１】
【図１】本発明の第１実施形態の鍋蓋保持具を示す斜視図である。
【図２】第１実施形態のクリップで蓋のつまみを保持した拡大側面図である。
【図３】第１実施形態のクリップを示す底面図である。
【図４】第２実施形態の蓋保持具を示す斜視図である。
【図５】本発明の第１実施形態の使用状態を示す参考図である。
【符号の説明】
【００２２】１  蓋保持具
２  基板
２ａ  基板
３  補助板
４  留めネジ
５  支柱
６  伸縮棒
７  支持棒
７ａ  支持棒
８  コイルバネ
９  保持穴
１０  クリップ
１１  蓋
１２  つまみ
１３  ネジ穴
１４  軸部
１５  軸棒
１６  ネジ
【図１】
2009148523.tif 000003
【図２】
2009148523.tif 000004
【図３】
2009148523.tif 000005
【図４】
2009148523.tif 000006
【図５】
2009148523.tif 000007